(57)【要約】【課題】モニターを見ながら使用した場合にも通信相手に違和感のない画像を送ることができ、また使用性に優れた携帯テレビ電話端末を提供することを課題としている。【解決手段】カメラ１２とモニター１１とを備えた携帯テレビ電話端末１０において、カメラ１２と受話スピーカとをモニター１１の上部に配置し、かつこれらを下方のモニター１１側に所定角度傾斜して設ける構成とした。また、これに伴って、携帯テレビ電話端末１０の前面側の上部の稜線１０ｌｆを、最大外形部分１０ｌｏに比較して下方に位置させる構成とした。さらに、カメラ１２を、筐体１０ａに形成された開口部３１に対し、筐体１０ａ側に位置決め固定する構成とした。【選択図】図４
2006211703.tif 000002
【特許請求の範囲】
【請求項１】
相手方端末との間で画像データおよび音声データを送受信するデータ送受信手段を有した携帯テレビ電話端末の筐体の前面側に、撮像機能を有したカメラと画像データを表示する表示パネルとが備えられ、
前記カメラの撮像レンズの光軸が前記表示パネルのパネル面に直交する方向に対し、該表示パネル側に定められた角度傾斜して配設され、
前記筐体の裏面側に前記筐体に対して回動可能に連結されたスタンドが設けられて、前記筐体が設置面に対して傾斜した状態に支持されることを特徴とする携帯テレビ電話端末。
【請求項２】
前記角度が１０度から１５度であることを特徴とする請求項１記載の携帯テレビ電話端末。
【請求項３】
前記カメラが前記表示パネルの周囲部に配置されていることを特徴とする請求項１または２記載の携帯テレビ電話端末。
【請求項４】
前記カメラの撮像レンズが、前記携帯テレビ電話端末の筐体に形成された開口部から外部に露出して臨むよう設けられるとともに、前記カメラが前記筐体に固定されることによって、前記撮像レンズと前記開口部との位置決めがなされていることを特徴とする請求項１から３のいずれかに記載の携帯テレビ電話端末。
【請求項５】
前記音声データを出力する受話スピーカが前記カメラと並列して前記携帯テレビ電話端末の外周部に配置されるとともに、前記受話スピーカが前記表示パネルに直交する方向に対し、前記表示パネル側に定められた角度傾斜して設けられ、前記受話スピーカとカメラとが設けられている部分において、前記端末の外形稜線が、前記筐体の最大外形部分に対して前記端末の中央部側に位置するよう形成されていることを特徴とする請求項１から４のいずれかに記載の携帯テレビ電話端末。
【請求項６】
前記携帯テレビ電話端末には、前記表示パネルに画像データを表示させた状態で使用するときに前記音声データを出力させるためのハンズフリー用スピーカが前記表示パネルの背面側に備えられるとともに、前記筐体の前面側には、前記表示パネルの外周部近傍に、ダミースピーカが形成されていることを特徴とする請求項１から５のいずれかに記載の携帯テレビ電話端末。
【発明の詳細な説明】
【技術分野】
【０００１】
本発明は、カメラとモニターとを有し、無線公衆回線網を用いて画像および音声の送受信が行われる携帯テレビ電話端末に関する。
【背景技術】
【０００２】
従来の携帯テレビ電話端末は、画像の入出力部となるカメラとモニター、そして音声の入出力部となるマイクとスピーカとを有している。そして、公衆回線網を介して、カメラで入力した画像情報とマイクで入力した音声情報とを通信相手に送信するとともに、通信相手から送信された画像情報と音声情報を受信して、これに基づいてモニターに画像を表示し、スピーカから音声を出力する。これによって、いわゆるテレビ電話通信が行えるようになっている。
【発明の開示】
【発明が解決しようとする課題】
【０００３】
しかしながら、上述したような従来の携帯テレビ電話端末には、以下のような問題が存在する。このような携帯テレビ電話端末では、カメラとモニターとを端末に一体に備えようとした場合、使用者は通信相手から送信された画像を見ながら通話を行うため、モニターに対面した状態で通話を行う。このとき、カメラはモニターを見ている使用者の顔を映すことになるが、例えば、モニターの下側にカメラが位置していると、カメラでは使用者の顔を下から見上げるような形で撮影することになり、通信相手に送信される顔の画像が不自然なものとなってしまう。
【０００４】
また、使用者の視線はモニターに向いているため、カメラとモニターとが離れていると使用者の視線がカメラから大きくずれることになり、この場合も、通信相手の見る画像は不自然なものとなる。
【０００５】
この他、このような携帯テレビ電話端末は、カメラとモニター、スピーカとマイク、その他にも操作用のキー等が配置されることとなるため、使いやすく機能的な配置が要求され、それと同時に端末の小型化が常に要求されているのは言うまでもない。
【０００６】
本発明は以上のような点を考慮してなされたもので、モニターを見ながら使用した場合にも通信相手に違和感のない画像を送ることができ、また使用性に優れた携帯テレビ電話端末を提供することを課題としている。
【課題を解決するための手段】
【０００７】
請求項１に係る発明は、相手方端末との間で画像データおよび音声データを送受信するデータ送受信手段を有した携帯テレビ電話端末の筐体の前面側に、撮像機能を有したカメラと画像データを表示する表示パネルとが備えられ、前記カメラの撮像レンズの光軸が前記表示パネルのパネル面に直交する方向に対し、該表示パネル側に定められた角度傾斜して配設され、前記筐体の裏面側に前記筐体に対して回動可能に連結されたスタンドが設けられて、前記筐体が設置面に対して傾斜した状態に支持されることを特徴としている。
【０００８】
請求項２に係る発明は、前記角度が１０度から１５度であることを特徴としている。
【０００９】
カメラの撮像レンズの光軸を、表示パネルに対して、例えば１０度から１５度といった所定角度だけ傾斜させて設けるようにした。これにより、カメラの光軸はモニターを見ている使用者の顔に向けられることとなる。
【００１０】
請求項３に係る発明は、前記カメラが前記表示パネルの周囲部に配置されていることを特徴としている。
【００１１】
請求項４に係る発明は、前記カメラの撮像レンズが、前記携帯テレビ電話端末の筐体に形成された開口部から外部に露出して臨むよう設けられるとともに、前記カメラが前記筐体に固定されることによって、前記撮像レンズと前記開口部との位置決めがなされていることを特徴としている。
【００１２】
カメラを筐体に固定するようにしたので、筐体に形成された開口部とカメラとの芯ズレを防止することができる。
【００１３】
請求項５に係る発明は、前記音声データを出力する受話スピーカが前記カメラと並列して前記携帯テレビ電話端末の外周部に配置されるとともに、前記受話スピーカが前記表示パネルに直交する方向に対し、前記表示パネル側に定められた角度傾斜して設けられ、前記受話スピーカとカメラとが設けられている部分において、前記端末の外形稜線が、前記筐体の最大外形部分に対して前記端末の中央部側に位置するよう形成されていることを特徴としている。
【００１４】
このように、端末の外周部側の受話スピーカとカメラとが設けられている部分において、端末の外形稜線をその背面側の外形稜線に対して中央部側に位置させることにより、この部分において、端末が実際よりも小さく感じられる。
【００１５】
請求項６に係る発明は、前記携帯テレビ電話端末には、前記表示パネルに画像データを表示させた状態で使用するときに前記音声データを出力させるためのハンズフリー用スピーカが前記表示パネルの背面側に備えられるとともに、前記筐体の前面側には、前記表示パネルの外周部近傍に、ダミースピーカが形成されていることを特徴としている。
【００１６】
このような端末は、表示パネルに画像を表示させて使用者が表示パネルに向いた状態、いわゆるハンズフリー状態で使用する場合に、表示パネルの背面側に設けられたハンズフリー用スピーカから音声データが出力されるようになっている。このとき、表示パネルの外周部近傍に設けられた、例えば凹部、スリット、孔等のダミースピーカが形成されているので、表示パネルを見ている使用者にとっては、これら凹部、スリット、孔等のダミースピーカが、あたかもスピーカであるかのように視覚的に認識し、実際には表示パネルの背面側のハンズフリー用スピーカから音声が出力されているにもかかわらず、ダミースピーカから音声が出力されているかのように感じる。
【発明の効果】
【００１７】
請求項１に係る携帯テレビ電話端末によれば、カメラの撮像レンズの光軸を表示パネルに対して所定角度を傾斜して設け、筐体の裏面側に設けたスタンドにより、筐体が設置面に対して傾斜した状態に支持されるようにした。
さらに、請求項２に係る携帯テレビ電話端末によれば、より具体的にはカメラの傾斜角度を１０度から１５度とした。これにより、カメラはモニターを見ている使用者の顔に向けられることとなる。したがって、撮像された使用者の画像は、違和感のないものとなる。
【００１８】
請求項３に係る携帯テレビ電話端末によれば、カメラを表示パネルの周囲部に配置することにより、撮像される使用者の視線が大きくずれることがない。
【００１９】
請求項４に係る携帯テレビ電話端末によれば、カメラを筐体に固定するようにしたので、筐体に形成された孔とカメラとの芯ズレを防止することができ、端末の外観仕上を優れたものとすることができる。
【００２０】
請求項５に係る携帯テレビ電話端末によれば、端末の外周部側の受話スピーカとカメラとが設けられた部分において、端末の外形稜線が前記筐体の最大外形部分に対して中央部側に位置している。これにより、受話スピーカおよびカメラが設けられている部分において、端末が実際より小さく感じられるという視覚的効果が得られる。
【００２１】
請求項６に係る携帯テレビ電話端末によれば、表示パネルに画像させた状態で使用するとき、つまり、いわゆる表示パネルに向かってハンズフリー状態で使用する場合に、表示パネルの背面側に設けられたハンズフリー用スピーカから音声データが出力されるようになっている。このとき、表示パネルの外周部近傍に設けられた凹部、スリット、孔等のダミースピーカが形成されているので、表示パネルを見ている使用者にとっては、このダミースピーカから音声が出力されているかのように感じる。その結果、表示パネルに表示される、例えば相手の画像を見ながら、相手の音声がその周囲から出力されているように感じるため、違和感のない使用感を得ることが可能となっている。
【発明を実施するための最良の形態】
【００２２】
以下、本発明に係る携帯テレビ電話端末の実施の形態の一例を、図１ないし図１４を参照して説明する。図１ないし図１４に示すものは、例えばＰＨＳ回線を介して、通常の音声情報による電話通信だけでなく、画像情報をやりとりすることによって、いわゆるテレビ電話通信を行うことのできる携帯テレビ電話端末１０である。
ここで、図１は、前記携帯テレビ電話端末１０の外観を説明する正図面であり、図２及び図３は、前記携帯テレビ電話端末１０の外観を説明するそれぞれ側面図である。
【００２３】
図１から図３に示すように、携帯テレビ電話端末１０には、その筐体１０ａの前面に、液晶板からなるモニター（表示パネル）１１が設けられている。このモニター１１は、筐体１０ａの上下方向（長手方向）に長い縦長の画面を有し、画像をカラー表示できるようになっている。このモニター１１には、電話番号、電界ピクトなど携帯電話端末における通信機能情報及び画像情報の両方あるいはいずれか一方が表示されるようになっている。
【００２４】
筐体１０ａには、その正面側の上部に、カメラ１２が設けられており、このカメラ１２によって画像が撮影されるようになっている。また、モニター１１の下方側には操作用の複数のキー１３が設けられており、これらキー１３を押下することにより、各種の操作を行うことができるようになっている。また、操作用のキー１３は、筐体１０ａの一側部にも設けられている。
【００２５】
筐体１０ａには、その上部のカメラ１２の側部に受話スピーカ１５が設けられ、下方にマイク１６が設けられており、マイク１６によって音声入力が行われ、受話スピーカ１５から相手方の音声、着信音、アラーム等が発せられるようになっている。また、筐体１０ａの上端には、伸縮可能なアンテナ１７が設けられており、内蔵された図示しないデータ送受信手段が、アンテナ１７を介して画像データ及び音声データの通信を行うようになっている。さらに、筐体１０ａの他側部には、コンセント等のＡＣ電源にアダプタを介して接続される外部電源接続部１８及びイヤホン等が接続される外部音声出力部１９が設けられている。
【００２６】
また、筐体１０ａには、その裏面側に、バッテリーが収納された収納部に着脱される電池蓋１４が設けられており、この電池蓋１４には、所定角度の範囲内にて回動可能に連結されたスタンド１４ａが設けられている。そして、このスタンド１４ａを回動させて角度を広げることにより、筐体１０ａが設置面に対して傾斜した状態に支持されるようになっている。
【００２７】
このような筐体１０ａにおいて、カメラ１２はモニター１１の外周部、斜め上方に配置されている。図４に示すように、このとき、カメラ１２の撮像レンズ１２ａの光軸Ｂは、モニター１１の表面に直交する方向Ａに対し、モニター１１側、つまり下向きに所定角度、例えば１０〜１５度傾斜して配置されている。つまり、カメラ１２の撮像レンズ１２ａはモニター１１の表面に対して斜め下方に向いているのである。これにより、カメラ１２では、モニター１１を見ている使用者の顔を斜め上方から撮影する状態となり、違和感のない画像を得ることが可能となっている。
【００２８】
図５に示すように、このようなカメラ１２は、撮像レンズ１２ａと、その背面側に設けられた基板部１２ｂとから構成されている。図６に示すように、基板部１２ｂは、所定の回路が形成されたプリント基板ｐが例えば三つ折りに折り畳まれた構成となっており、図４に示したように、その一端部ｐａが、筐体１０ａの内部に収められたメイン基板３０に電気的に接続されている。
【００２９】
図７および図８に示すように、筐体１０ａには、カメラ１２の撮像レンズ１２ａがその前面に露出するよう、撮像レンズ１２ａの形状（ここでは円形）に対応した開口部３１が形成されている。そして、図８に示したように、この開口部３１の裏面側には、カメラ１２を保持するための保持部３２が後方に向けて突出形成されており、この保持部３２の先端部には、カメラ１２を前記した所定の角度で保持するための傾斜面３２ａが形成されている。そして、この傾斜面３２ａにカメラ１２の基板部１２ｂを押し当て、さらに、図９に示すように、開口部３１の背面側に形成された係止爪３３にカメラ１２をはめ込むことにより、カメラ１２が位置決め固定されるようになっている。
【００３０】
このようにして、カメラ１２が、筐体１０ａに形成された係止爪３３および保持部３２によって固定されるようになっているので、図１０に示すように、撮像レンズ１２ａの先端部が開口部３１に対して芯ズレすることなく精度良く位置決めされるようになっている。これに対して、カメラ１２を、例えば筐体１０ａの内部に収められるメイン基板３０等、筐体１０ａ以外に固定する構成とした場合には、メイン基板３０等と筐体１０ａとの組付誤差等により、開口部３１に対してカメラ１２の撮像レンズ１２ａの先端部が芯ズレしてしまう可能性もある。
【００３１】
また、カメラ１２に並べて配置された受話スピーカ１５は、筐体１０ａに形成されたスピーカ孔３５と、その背面側に設けられたスピーカユニット３６とから構成されている。このとき、図１１に示すように、スピーカユニット３６は、前記カメラ１２と同様に若干下向き（例えばモニター１１の方向Ａに対して下向きに４度）に配置されている。スピーカユニット３６は、図１２に示す筐体１０ａのスピーカ孔３５の背面側に一体に設けられた保持部３７に、図１３に示す保持部材３８を介して、下方に所定角度傾斜した状態で保持固定されるようになっている。保持部材３８は例えばゴム製で、スピーカユニット３６の前面側に向けて筒状部３８ａが突出形成されたものであり、図１１に示したように、筒状部３８ａの先端が筐体１０ａにスピーカ孔３５の背面側において当接するようになっている。これにより、スピーカユニット３６から発せられる音声がスピーカ孔３５以外の部分に拡散するのを防止するようになっている。図１４は、上記のカメラ１２および受話スピーカ１５が、筐体１０ａの内部において、並列されて設けられた状態を示す正面図である。
【００３２】
ところで、図４あるいは図１１に示すように、筐体１０ａの外周面の前面１０ａｆは、この前記カメラ１２と受話スピーカ１５とが下向きに設けられているのに伴って、モニター１１が設けられている部分から上方にいくに従い前傾した形状を成している。
【００３３】
さらに、この筐体１０ａの前面１０ａｆ側の上部において、前記カメラ１２と受話スピーカ１５とが下向きに設けられることによって、上面１０ａｕも下向きに傾斜して形成され、この上面１０ａｕと前面１０ａｆとの境界部分となる稜線（外形稜線）１０ｌｆは、筐体１０ａの最大外形部分１０ｌｏよりも、若干下方（携帯テレビ電話端末１０の中心部寄り）に位置するよう形成されている。これにより、図１に示したように、この筐体１０ａを前方から見た場合に、その前面１０ａｆ側の上部の稜線１０ｌｆが、筐体１０ａの最大外形部分１０ｌｏよりも若干下側（内側）に位置しているので、筐体１０ａが実際よりも小型に見えるという視覚的効果が得られる。
【００３４】
また、このような筐体１０ａには、いわゆるテレビ電話通信を行う場合に、モニター１１に向き合って相手方の画像を見つつ、モニター１１を見ている使用者自身の顔をカメラ１２で撮影しながら使用することになる。このような使用形態は、携帯テレビ電話端末１０の受話スピーカ１５を耳に押し当て、マイク１６を口の近くに位置させた状態で使用する通常の電話の使用形態とは異なる、いわゆるハンズフリー状態である。このようなハンズフリー状態においては、耳に近接させた状態で用いる受話スピーカ１５からの音声は、モニター１１に向かっている使用者までは届かない。このため、図４および図７に示したように、筐体１０ａ内には、モニター１１側の背面側にハンズフリー用スピーカ３９が設けられている。このハンズフリー用スピーカ３９は、筐体１０ａの背面側を振動させることにより音声を外部出力するものである。
【００３５】
さらに、図１に示したように、モニター１１の周辺には、例えばその下部の両側に、二個一対のダミースピーカ孔（ダミースピーカ）４０，４０が形成されている。このダミースピーカ孔４０，４０は、スピーカとしての機能、つまり実際に音声を出力する機能を果たすものではない。しかしながら、モニター１１の背面側に設けられたハンズフリー用スピーカ３９（図４参照）から音声を出力させると、モニター１１を見ている使用者にとっては、この二つのダミースピーカ孔４０，４０が、あたかもスピーカであるかのように視覚的に認識し、実際には表示パネルの背面側のハンズフリー用スピーカ３９（図４参照）から音声が出力されているにもかかわらず、ダミースピーカ孔４０，４０から音声が発せられているように感じられ、その結果、違和感のない使用感を得ることが可能となっている。なお、このダミースピーカ孔４０は二個一対に限るものではなく、一つでもよいし、あるいは三つ以上形成するようにしてもよい。また、その形状や配置等も図示したものに限定するものではなく、例えばモニター１１の両側、下側、上側等、如何なる部分に形成するようにしてもよい。また、必ずしもダミースピーカ孔４０である必要もなく、単なる凹部やスリット等としてもよいし、またその部分だけ筐体１０ａの他の部分と色（色の明るさを含む）を変えたり、さらには撥水ネット等を張るようにしてもよい。また、このダミースピーカ孔４０を通して、筐体１０ａ内に収められたハンズフリー用スピーカ３９からの音声を実際に外部に出力するようにしても良い。
【００３６】
上記したような携帯テレビ電話端末１０では、カメラ１２がモニター１１の外周部に設けられ、しかも下方に所定角度傾斜して設けられているので、カメラ１２で撮影した画像は、モニター１１を見ている使用者の顔を違和感なく撮影することが可能となっている。しかも、カメラ１２はモニター１１の上部に設けられているので、モニター１１を見ている使用者の顔を上方から見下ろして撮像する形態となり、下方から見上げる場合等に加えて違和感の少ない画像を得ることができる。
【００３７】
また、モニター１１の上方に設けられたカメラ１２に並べて受話スピーカ１５が設けられており、これらを上下別々に配置する場合に比較して装置の小型化に貢献することができる。加えて、受話スピーカ１５は、元々、携帯テレビ電話端末１０の上部に設けられているのが一般的であり、この点においても合理的な設定が成されていると言える。
【００３８】
また、上記の例では、図１０に示したように、携帯テレビ電話端末１０の幅方向の中心部に位置して携帯テレビ電話端末１０の長手方向に延在する中心線Ｃに対し、受話スピーカ１５の方がカメラ１２よりも近寄って配置されている。これにより、モニター１１の無い通常の携帯電話と同様、受話スピーカ１５を耳に押し当て、マイク１２に口を近づけて通話を行う場合に、受話スピーカ１５が中央部寄りにあるため、形態テレビ電話端末１０を耳に近接させて使用する際に受話スピーカ１５を確実に耳に押し当てることができ、違和感なく使用することができる。
【００３９】
さらに、カメラ１２は、筐体１０ａに形成された開口部３１に対し、筐体１０ａ側に形成された係止爪３３および保持部３２によって位置決め固定されているので、開口部３１とカメラ１２の撮像レンズ１２ａの先端部とが芯ズレすることもなく、外観仕上げを優れたものとすることができる。
【００４０】
加えて、カメラ１２をモニター１１の外周部の近接した位置に設けたので、モニター１１を見ている使用者の顔をカメラ１２で撮影したときに得られた画像において、使用者の視線が大きくずれている等の違和感が生じるのを防止することができる。
【００４１】
また、カメラ１２と受話スピーカ１５とを下向きに設けたことに伴って、携帯テレビ電話端末１０の前面側の上部の稜線１０ｌｆを、最大外形部分１０ｌｏに比較して下方（内側）に位置させる構成とした。これにより、携帯テレビ電話端末１０が実際よりも小型に見えるという視覚的効果を得ることもできる。
【００４２】
さらには、モニター１１の外周部に二個一対のダミースピーカ孔４０，４０を設けるようにしたので、モニター１１を見ている使用者にとっては、モニター１１の背面側に設けられたスピーカユニット３６から出力される音声が、あたかもこれら二個一対のダミースピーカ孔４０，４０から出力するように感じられ、これによっても違和感のない使用感を得ることが可能となっているのである。
【００４３】
なお、上記実施の形態において、カメラ１２をモニター１１の上部に設ける構成としたが、例えば携帯テレビ電話端末１０全体を縦型ではなく横型とする場合等に、モニター１１の側方にカメラ１２を配置する等してもよい。このように、モニター１１に対するカメラ１２の位置関係は、前記携帯で示した上部に限るものではなく、他の如何なる場所であってもよい。ただしこの場合、モニター１１を見ている使用者を撮像したときに違和感のない画像が得られるよう、カメラ１２をモニター１１に対して傾斜させて配置させるのが好ましい。ただし、その傾斜角度も、上記した１０度から１５度に限るものではなく、また、傾斜させる方向も適宜変更することが可能である。受話スピーカ１５についても同様であり、その位置や傾斜角度等、上記したものに限定するものではない。
【００４４】
加えて、カメラ１２や受話スピーカ１５を所定角度で保持する構造については、上記したものに限るものではなく、いかなる構造で保持固定するようにしても良い。また、受話スピーカ１５については、保持部材３８でスピーカユニット３６を保持する構成について言及したが、カメラ１２についても同様に、撮像レンズ１２ａをゴム製等、防水シール性を有した材質の部材で保持あるいはカバーするようにしてもよい。
【００４５】
さらに、上記実施の形態では、携帯テレビ電話端末１０で使用する電話回線としてＰＨＳ回線を用いる例を挙げたが、これのみに限定する意図はなく、ＰＨＳ回線以外の、その地域に設定されている他の種々の規格による携帯電話回線等を用いるようにしても良い。
【００４６】
これ以外にも、本発明の主旨を逸脱しない範囲内であれば、いかなる構成を採用しても良く、また上記したような構成を適宜選択的に組み合わせたものとしても良いのは言うまでもない。
【図面の簡単な説明】
【００４７】
【図１】本発明に係る携帯テレビ電話端末の一例を示す図であって、同端末の外観を示す正面図である。
【図２】図１の右側面図である。
【図３】図１の左側面図である。
【図４】前記端末においてカメラが設けられている部分を示す側断面図である。
【図５】前記カメラを示す側面図である。
【図６】同カメラを構成する基板を示す図であり、（ａ）基板を展開した状態を示す図、（ｂ）基板を折り畳んだ状態を示す図である。
【図７】前記端末の筐体を示す正面図である。
【図８】同筐体のカメラが収められる部分の側断面図である。
【図９】同筐体のカメラおよびスピーカが収められる部分の平断面図である。
【図１０】同筐体に前記カメラおよびスピーカが収められた状態を示す図である。
【図１１】前記端末においてカメラが設けられている部分を示す側断面図である。
【図１２】前記筐体のスピーカが収められる部分の側断面図である。
【図１３】前記スピーカの構造を示す側面図である。
【図１４】前記カメラおよびスピーカが、筐体の内部において、並列されて設けられた状態を示す正面図である。
【符号の説明】
【００４８】
１０…携帯テレビ電話端末  
１０ａ…筐体  
１０ｌｆ…稜線（外形稜線）  
１０ｌｏ…最大外形部分  
１１…モニター（表示パネル）  
１２…カメラ  
１２ａ…撮像レンズ  
１５…受話スピーカ  
３１…開口部  
３９…ハンズフリー用スピーカ  
４０…ダミースピーカ孔（ダミースピーカ）  
Ａ…直交する方向  
Ｂ…光軸  
【図１】
2006211703.tif 000003
【図２】
2006211703.tif 000004
【図３】
2006211703.tif 000005
【図４】
2006211703.tif 000006
【図５】
2006211703.tif 000007
【図６】
2006211703.tif 000008
【図７】
2006211703.tif 000009
【図８】
2006211703.tif 000010
【図９】
2006211703.tif 000011
【図１０】
2006211703.tif 000012
【図１１】
2006211703.tif 000013
【図１２】
2006211703.tif 000014
【図１３】
2006211703.tif 000015
【図１４】
2006211703.tif 000016
【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
相手方端末との間で画像データおよび音声データを送受信するデータ送受信手段を有した携帯テレビ電話端末の筐体に、カメラと、表示パネルと、耳に近接させて使用する受話スピーカと、ハンズフリー状態で使用するハンズフリー用スピーカと、が備えられ、
前記表示パネルの面の上方に前記カメラと前記受話スピーカを配置するとともに、前記ハンズフリー用スピーカを、前記カメラと前記受話スピーカを配置している前記表示パネルの面に対して異なる前記筐体の面に配置することを特徴とする携帯テレビ電話端末。
【請求項２】
前記カメラと前記受話スピーカを配置している前記表示パネルの面に対して異なる前記筐体の面とは、前記カメラと前記受話スピーカを配置している前記表示パネルの面の背面であることを特徴とする請求項１記載の携帯テレビ電話端末。
【請求項３】
前記ハンズフリー用スピーカからの音声を外部に出力するスピーカ孔を備え、該スピーカ孔を前記ハンズフリー用スピーカを配置している前記筐体の面とは異なる面に配置することを特徴とする請求項１又は請求項２に記載の携帯テレビ電話端末。
【手続補正２】
【補正対象書類名】明細書
【補正対象項目名】０００７
【補正方法】変更
【補正の内容】
【０００７】
請求項１に係る発明は、相手方端末との間で画像データおよび音声データを送受信するデータ送受信手段を有した携帯テレビ電話端末の筐体に、カメラと、表示パネルと、耳に近接させて使用する受話スピーカと、ハンズフリー状態で使用するハンズフリー用スピーカと、が備えられ、前記表示パネルの面の上方に前記カメラと前記受話スピーカを配置するとともに、前記ハンズフリー用スピーカを、前記カメラと前記受話スピーカを配置している前記表示パネルの面に対して異なる前記筐体の面に配置することを特徴としている。
【手続補正３】
【補正対象書類名】明細書
【補正対象項目名】０００８
【補正方法】変更
【補正の内容】
【０００８】
請求項２に係る発明は、前記カメラと前記受話スピーカを配置している前記表示パネルの面に対して異なる前記筐体の面とは、前記カメラと前記受話スピーカを配置している前記表示パネルの面の背面であることを特徴としている。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項３に係る発明は、からの音声を外部に出力するスピーカ孔を備え、該スピーカ孔を前記ハンズフリー用スピーカを配置している前記筐体の面とは異なる面に配置することを特徴としている。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
本発明に係る携帯テレビ電話端末によれば、表示パネルに画像させた状態で使用するとき、つまり、表示パネルに向かってハンズフリー状態で使用する場合に、表示パネルの背面側等に設けられたハンズフリー用スピーカから音声データが出力されるようになっている。その結果、表示パネルに表示される、例えば相手の画像を見ながら、相手の音声がその周囲から出力されているように感じるため、違和感のない使用感を得ることが可能となっている。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】